(57)【特許請求の範囲】
【請求項１】
振出式の釣竿であって、外部竿体と、前記外部竿体の穂先側に前記外部竿体に収納可能なように連結されている内部竿体と、前記外部竿体の穂先側端部に設けられ、前記内部竿体が前記外部竿体に挿入される際に前記内部竿体の外周面が損傷するのを防止する損傷防止部材とを備え、
前記損傷防止部材はリング状の弾性部材であり、マンドレルに巻かれた離型テープの穂先側端部に嵌め込まれ、プリプレグ層と外周方向から圧を加えて焼成されたものである、前記損傷防止部材を備えた釣竿。
【請求項２】
振出式の釣竿であって、外部竿体と、前記外部竿体の穂先側に前記外部竿体に収納可能なように連結されている内部竿体と、前記外部竿体の穂先側端部に設けられ、前記内部竿体が前記外部竿体に挿入される際に前記内部竿体の外周面が損傷するのを防止する損傷防止部材とを備え、
前記損傷防止部材は、前記外部竿体の穂先側端部に設けられた切欠き部に弾性塗料をディッピングによって固着したものである、前記損傷防止部材を備えた釣竿。
【請求項３】
前記内部竿体の竿元側端部に外部竿体の穂先側端部と嵌合するように設けられた嵌合部をさらに備えた、請求項１又は２に記載の釣竿。
【請求項４】
内部に内部竿体が挿入される際に内部竿体の外周面が損傷するのを防止する損傷防止部材を備えた竿体の製造方法であって、芯材に離型剤を塗布する工程と、前記芯材の穂先側端部に前記損傷防止部材を形成するゴム製のパイプ部材を嵌め込む工程と、前記パイプ部材及び離型剤の外周面にプリプレグを巻回する工程と、前記プリプレグの外周面に保護テープを巻回して竿素材を得る工程と、前記竿素材を焼成する工程と、前記芯材を抜き取ると共に前記保護テープを剥離する工程と、を含む、竿体の製造方法。
【請求項５】
前記芯材を抜き取ると共に前記保護テープを剥離した後に、前記パイプ部材を嵌め込んだ穂先側端面を切断する工程をさらに含む、請求項４に記載の竿体の製造方法。
【請求項６】
内部に内部竿体が挿入される際に内部竿体の外周面が損傷するのを防止する損傷防止部材を備えた竿体の製造方法であって、芯材に離型剤を塗布する工程と、前記芯材の穂先側端部に切欠き部形成テープを巻回する工程と、前記切欠き部形成テープ及び離型剤の外周面にプリプレグを巻回する工程と、前記プリプレグの外周面に保護テープを巻回して竿素材を得る工程と、前記竿素材を焼成する工程と、前記芯材を抜き取ると共に前記保護テープ及び前記切欠き部形成テープを剥離する工程と、前記切欠き部形成テープにより切欠き部が形成された端面に、弾性部材を塗布する工程と、を含む、竿体の製造方法。
【請求項７】
前記芯材を抜き取ると共に前記保護テープ及び前記切欠き部形成テープを剥離する工程の後に、前記切欠き部形成テープを剥離して形成した切欠き部の表面に荒目加工を施す工程をさらに含む、請求項６に記載の竿体製造方法。
【発明の詳細な説明】
【０００１】
【発明の属する技術分野】
本発明は、釣竿、特に、複数の竿体を嵌合するための嵌合構造を備えた釣竿に関する。
【０００２】
【従来の技術】
従来の振出式の釣竿（以下、振出竿という）は、複数の竿体を連結してなるものであり、例えば、手元側に配置される外部竿体と、外部竿体の穂先側に連結され外部竿体の内部に挿入して収納可能な内部竿体とを有している。そして、この振出竿を使用する際には、穂先側の内部竿体を外部竿体から引き出して固定し、１本の竿体として使用される。また運搬時には、穂先側の内部竿体を外部竿体内に挿入してコンパクトな状態にする。
【０００３】
【発明が解決しようとする課題】
従来の振出竿では、穂先側の内部竿体を竿元側の外部竿体に挿入する際に、外部竿体の穂先側端面に内部竿体の外周面が接触してしまい、内部竿体外周面が損傷する場合がある。
本発明の課題は、竿体の外周面を傷付けることなく収納できる振出式の釣竿を提供することにある。
【０００４】
【課題を解決するための手段】
発明１に係る釣竿は、振出式の釣竿であって、外部竿体と、前記外部竿体の穂先側に前記外部竿体に収納可能なように連結されている内部竿体と、前記外部竿体の穂先側端部に設けられ、前記内部竿体が前記外部竿体に挿入される際に前記内部竿体の外周面が損傷するのを防止する損傷防止部材とを備え、前記損傷防止部材はリング状の弾性部材であり、マンドレルに巻かれた離型テープの穂先側端部に嵌め込まれ、プリプレグ層と外周方向から圧を加えて焼成されたものである、前記損傷防止部材を備えている。
この場合には、内部竿体を外部竿体に挿入して収納する際に、内部竿体が軸方向に対して平行でなく多少傾いて挿入され、内部竿体の外周面が外部竿体の穂先側端部に接触しても、外部竿体の穂先側端部に設けられた弾性部材が内部竿体外周面を傷付けるのを抑える。そして、損傷防止部材はリング状の弾性部材であり、マンドレルに巻かれた離型テープの穂先側端部に嵌め込まれ、プリプレグ層と外周方向から圧を加えて焼成されたものであるので、外部竿体の穂先側端部にリング状の弾性部材が固定されており、内部竿体を外部竿体内に収納する際に、内部竿体外周面を損傷するのを抑える。
【０００５】
発明２に係る釣竿は、振出式の釣竿であって、外部竿体と、外部竿体の穂先側に外部竿体に収納可能なように連結されている内部竿体と、外部竿体の穂先側端部に設けられ、内部竿体が外部竿体に挿入される際に内部竿体の外周面が損傷するのを防止する損傷防止部材とを備え、損傷防止部材は、外部竿体の穂先側端部に設けられた切欠き部に弾性塗料をディッピングによって固着したものである。 この場合には、内部竿体を外部竿体に挿入して収納する際に、内部竿体が軸方向に対して平行でなく多少傾いて挿入され、内部竿体の外周面が外部竿体の穂先側端部に接触しても、外部竿体の穂先側端部に設けられた弾性部材が内部竿体外周面を傷付けるのを抑える。そして、損傷防止部材は、外部竿体の穂先側端部に設けられた切欠き部に弾性塗料をディッピングによって固着して製造できるので、製造が容易になる。
【０００６】
発明３に係る釣竿は、発明１又は２の釣竿であって、内部竿体の竿元側端部に外部竿体の穂先側端部と嵌合するように設けられた嵌合部をさらに備えている。
この場合には、外部竿体から穂先側に最も引き出された状態で内部竿体の竿元側端部に設けられた嵌合部が外部竿体に嵌合して、内部竿体と外部竿体とが固定される。
【０００８】
発明４に係る竿体の製造方法は、内部に内部竿体が挿入される際に内部竿体の外周面が損傷するのを防止する損傷防止部材を備えた竿体の製造方法であって、以下の工程を含む。
【０００９】
◎芯材に離型剤を塗布する工程。
◎芯材の穂先側端部に損傷防止部材を形成するゴム製のパイプ部材を嵌め込む工程。
◎パイプ部材及び離型剤の外周面にプリプレグを巻回する工程。
◎プリプレグの外周面に保護テープを巻回して竿素材を得る工程。
【００１０】
◎竿素材を焼成する工程。
◎芯材を抜き取ると共に保護テープを剥離する工程。
この場合には、芯材の穂先側端部にパイプ部材を嵌め込んでその外周にプリプレグを巻回して竿体を製造するので、竿体の穂先側端部の内周面に損傷防止部材を容易に設けることができる。
【００１１】
発明５に係る竿体の製造方法は、発明５の製造方法であって、芯材を抜き取ると共に前記保護テープを剥離した後に、前記パイプ部材を嵌め込んだ穂先側端面を切断する工程をさらに含んでいる。この場合には、パイプ部材が穂先側端部に設けられた竿体の該端部を切断して適当な長さの竿体を形成すると共に、焼成により変形した穂先側端部をきれいに整えられる。
【００１２】
発明６に係る竿体の製造方法は、内部に内部竿体が挿入される際に内部竿体の外周面が損傷するのを防止する損傷防止部材を備えた竿体の製造方法であって、以下の工程を含む。
◎芯材に離型剤を塗布する工程。
◎芯材の穂先側端部に切欠き部形成テープを巻回する工程。
【００１３】
◎切欠き部形成テープ及び離型剤の外周面にプリプレグを巻回する工程。
◎プリプレグの外周面に保護テープを巻回して竿素材を得る工程。
◎竿素材を焼成する工程。
◎芯材を抜き取ると共に保護テープ及び切欠き部形成テープを剥離する工程。
◎切欠き部形成テープにより切欠き部が形成された端面に、弾性部材を塗布する工程。
【００１４】
この場合には、切欠き部形成テープを芯材に巻回するので容易に切欠き部が形成できる。そして、この切欠き部が設けられているので、外部竿体の穂先側端部に弾性部材を容易に塗布して固着できる。発明７に係る竿体の製造方法は、発明６の製造方法であって、芯材を抜き取ると共に保護テープ及び切欠き部形成テープを剥離する工程の後に、切欠き部形成テープを剥離して形成した切欠き部の表面に荒目加工を施す工程をさらに含んでいる。
【００１５】
この場合には、切欠き部の表面に荒目加工を施しているので、弾性体塗料が切欠き部にさらに容易に付着でき、製造効率が向上する。
【００１６】
【実施の形態】
［第１実施形態］
以下、本発明の第１実施形態について、図面を参照しつつ説明する。
（構成）
本発明の第１実施形態に係る釣竿１は、図１に示すように、筒状の外部竿体２と、外部竿体２の穂先側に外部竿体２に収納可能なように連結されている内部竿体３と、外部竿体２の手元側の端部に配置されたグリップ４と、内部竿体３の穂先側先端に設けられライン（釣り糸）を係止する係止部５とを有している。
【００１７】
外部竿体２は、図２に示すように、筒状の部材であって、内部は内部竿体３を収納することができる竿収納部２０となっている。外部竿体２は、後述のように、炭素繊維の強化繊維に樹脂を含浸させたシート状のプリプレグをマンドレルに巻回して成形される。内部竿体３も、外部竿体２と同様に、炭素繊維の強化繊維に樹脂を浸透させたシート状のプリプレグをマンドレルに巻回して形成された部材である。そして、内部竿体３の竿元側端部には、図２に示すように、他の部分より内径が大きく形成され、外部竿体２の穂先側端部の内周径に合致する嵌合部１０が設けられている。
【００１８】
外部竿体２の穂先側先端には、内周に沿って切り欠かれた切欠き部２ａが設けられており、この切欠き部２ａには弾性部材１５（損傷防止部材）が固着されている。弾性部材１５は、弾性体の塗料をディッピングして切欠き部２ａに固着させたものである。
（外部竿体２の製造方法）
本発明の第１実施形態を採用した外部竿体２は、以下のようにして製造される。
【００１９】
図３（ａ）に示すように、まず、マンドレル１００の外周にワックス等の離型剤１０１を塗布し、その外周面にポリプロピレン樹脂製の第１離型用テープ１０２を巻回する。そして、穂先側端部の離型用テープ１０２の外周面に、切欠き部２ａを形成するための切欠き部形成テープ１０３を巻回し、さらにその外周面に第２離型用テープ１０４を巻回する。
【００２０】
次に、第２離型用テープ１０４の外周面に、複数のプリプレグ層１１１〜１１４を巻回する。これらのプリプレグ層１１１〜１１４は、炭素繊維などの強化繊維に樹脂を含浸させたシート状のプリプレグを細いテープ状にしたプリプレグテープを巻回したものである。ここで、もっとも内側の第１プリプレグ層１１１は、テープの長さ方向に強化繊維が配向されたものを用いて形成され、外部竿体２の円周方向に強化繊維群５１が配向される。また、第２〜第４のプリプレグ層１１２〜１１４は、テープの幅方向に強化繊維が配向されたものを用いて形成され、第２〜第４強化繊維群５２〜５４がマンドレルの軸方向に配向された状態になる。
【００２１】
このようにして複数のプリプレグ層１１１〜１１４巻回した後、さらにその外周にポリエチレンテレフタレートやポリプロピレンからなる保護用テープ（図示せず）を巻回して竿素材を得る。得られた竿素材を外周側から圧を加えて焼成し、マンドレル１００を抜き取り、保護用テープ，第１離型用テープ１０２，切欠き部形成テープ１０３，第２離型用テープ１０４を順次剥離する。こうして、図３（ｂ）に示すように、切欠き部２ａを穂先側端部に有する外部竿体２を製造する。その後、外部竿体２の穂先側端面、特に、切欠き部２ａ付近に弾性部材１５を塗布して乾燥固化させる。この切欠き部２ａの表面は、例えば、ヤスリ等で荒削りして荒目加工を施してもよい。荒目加工を施すと、弾性部材１５を塗布しやすくなる。そして、穂先側端部に弾性部材１５（損傷防止部材）が固着された外部竿体２を得る。
【００２２】
なお、内部竿体３は、従来周知の製造方法で製造できる。
（作用）
このように構成された釣竿１では、内部竿体３を外部竿体２内部の竿収納部２０に挿入して収納する場合、内部竿体３が軸方向に平行に挿入されず多少傾いて挿入されて内部竿体３の外周面が外部竿体２の穂先側端面に接触しても、外部竿体２の穂先側端部には弾性部材１５が設けられているので、外周面を傷付けることがない。
【００２３】
以上のように、本発明の第１実施形態を採用した釣竿１によれば、外部竿体２の穂先側先端に弾性部材１５が設けられているので、内部竿体３の外周面を傷付けることなく収納することができる。また、弾性体塗料を外部竿体２の穂先側端面にディッピングして弾性部材１５を設けられるので、容易に製造できる。さらに、切欠き部２ａを有しており、容易に弾性体塗料を塗布できる。
【００２４】
［第２実施形態］
以下、本発明の第２実施形態について、図面を参照しつつ説明する。
（構成）
本発明の第２実施形態に係る釣竿の外部竿体３２は、図４に示すように、穂先側先端の内周に沿って切り欠かれた切欠き部３２ａを有しており、この切欠き部３２ａにはリング状の弾性部材１６（損傷防止部材）がはめ込まれている。
【００２５】
このリング状の弾性部材１６は、スチレンゴム，ブタジエンゴム，スチレンゴム等の弾性部材からなるものである。
なお、その他の構成は第１実施形態と同様であり、説明を省略する。
（外部竿体３２の製造方法）
本発明の第２実施形態を採用した外部竿体３２は、以下のようにして製造される。
【００２６】
図５（ａ）に示すように、まず、マンドレル２００の外周にワックス等の離型剤２０１を塗布し、その外周面にポリプロピレン樹脂製の離型用テープ２０２を巻回する。そして、穂先側端部の離型用テープ２０２の外周面に弾性部材１６を形成するためのゴム製パイプ部材２０３を嵌め込む。
その後、第１実施形態と同様に、複数のプリプレグ層１１１〜１１４，保護用テープ（図示せず）を巻回して竿素材を得て、外周方向から圧を加えて焼成する。焼成後、マンドレル２００及び離型用テープ２０２を取り外し、プリプレグ層パイプ状部材２０３が嵌め込まれた穂先側端面を切り落として、図５（ｂ）に示すように、穂先側端部に弾性部材１６が嵌め込まれた外部竿体２を得る。
【００２７】
このように構成された釣竿では、第１実施形態と同様に作用効果を奏する。
［他の実施形態］
（ａ）内部竿体は、複数の竿体から構成されるものでもよい。
【００２８】
【発明の効果】
本発明に係る釣竿では、外部竿体の穂先側先端に弾性部材が設けられているので、内部竿体の外周面を傷付けることなく収納することができる。
【図面の簡単な説明】
【図１】本発明の第１実施形態を採用した釣竿の全体図。
【図２】図１の外部竿体の穂先側先端付近の拡大断面図。
【図３】本発明の第１実施形態を採用した釣竿の外部竿体の製造途中の外部竿体断面図（ａ）と、製造後の断面図（ｂ）。
【図４】本発明の第２実施形態を採用した釣竿の外部竿体の穂先側先端の拡大断面図。
【図５】本発明の第２実施形態を採用した釣竿の外部竿体の製造途中の外部竿体断面図（ａ）と、製造後の断面図（ｂ）。
【符号の説明】
２，３２  外部竿体
３，３３  内部竿体
２０  竿収納部
１５，１６  弾性部材
１００，２００  マンドレル
１１１  第１プリプレグ層
１１２  第２プリプレグ層
１１３  第３プリプレグ層
１１４  第４プリプレグ層
１０３  切欠き部形成テープ
２０３  パイプ状部材
【図１】
0003877092.tif 000002
【図２】
0003877092.tif 000003
【図３】
0003877092.tif 000004
【図４】
0003877092.tif 000005
【図５】
0003877092.tif 000006